(57)【要約】【課題】  建設現場にて、状況に応じた情報を作業員及び管理者に配信し、施工の効率を向上することができる施工支援方法及び施工支援プログラムを提供する。【解決手段】  メニュー画面２６に示すように、取り付け位置「Ｘ方向…０、Ｙ方向…２００、Ｚ方向…４００」、「形状…０％」と表示している。メニュー画面２６に表示されている画像は、サポート部材Ｓ１を壁面の埋め金に取り付けた際の正面図を示している。このメニュー画面２６を見ることによって、エリアＡにて作業を行うスタッフは、サポート部材Ｓ１を自分の作業位置（基準点からＸ方向に０、Ｙ方向に８００、Ｚ方向に４００の位置）からＸ方向に０、Ｙ方向に２００、Ｚ方向に４００の位置に取り付けることを認知することができる。【選択図】        図４
2005083088.tif 000002
【特許請求の範囲】
【請求項１】
施工の対象となる部材の取り付け位置の情報を予め記憶する第１の記憶手段と、
前記第１の記憶手段を管理する管理コンピュータとを含む施工システムを用いる施工支援方法であって、
前記管理コンピュータが、
ユーザの端末機から、同ユーザが前記部材の取り付け作業を行う作業位置の情報を入手する第１の段階と、
前記取り付け位置を、前記作業位置に基づいて、算出し直してユーザの端末機に出力する第２の段階とを含むことを特徴とする施工支援方法。
【請求項２】
請求項１に記載の施工支援方法において、
前記取り付け位置の情報には、さらに、前記部材の取り付け向きの情報が含まれ、
前記管理コンピュータは、前記第２の段階として、前記取り付け位置に加えて前記取り付け向きを、ユーザの端末機に出力することを特徴とする施工支援方法。
【請求項３】
請求項１又は２のいずれか１つに記載の施工支援方法において、
前記端末機は、少なくとも１つの表示部を有する携帯電話であって、
前記管理コンピュータは、前記取り付け位置を、前記表示部に出力し表示させることを特徴とする施工支援方法。
【請求項４】
施工の対象となる部材の取り付け位置の情報を予め記憶する第１の記憶手段と、
前記第１の記憶手段を管理する管理コンピュータとを含む施工システムに用いる施工支援プログラムであって、
前記施工支援プログラムは、前記管理コンピュータを、
ユーザの端末機から、同ユーザが前記部材の取り付け作業を行う作業位置の情報を入手する第１の手段と、
前記取り付け位置を、前記作業位置に基づいて、算出し直してユーザの端末機に出力する第２の手段として機能させることを特徴とする施工支援プログラム。
【請求項５】
請求項４に記載の施工支援プログラムにおいて、
前記取り付け位置の情報には、さらに、前記部材の取り付け向きの情報が含まれ、
前記管理コンピュータは、前記第２の手段として、前記取り付け位置に加えて前記取り付け向きを、ユーザの端末機に出力することを特徴とする施工支援方法。
【請求項６】
請求項４又は５のいずれか１つに記載の施工支援プログラムにおいて、
前記端末機は、少なくとも１つの表示部を有する携帯電話であって、
前記管理コンピュータによって、前記取り付け位置を、前記表示部に出力し表示させることを特徴とする施工支援プログラム。
【発明の詳細な説明】
【技術分野】
【０００１】
本発明は、施工を支援するための施工支援方法及び施工支援プログラムに関する。
【背景技術】
【０００２】
従来、一般建築物におけるガス管、水道管や石油、化学、原子力プラント等の特殊管を配管するための配管工事が行われている。通常、この配管工事では、その施工の際に、建築物の建築設計図、配管設計図、さらに、これら設計図に基づいて作成された配管サポート図に従って各種配管が行われる。
【０００３】
この配管サポート図とは、各種配管を支えるためのサポート部材の取り付け方を示すためのものであって、サポート部材の型番、建物に対するサポート部材の取り付け位置又は建物の壁面に埋め込まれた埋め金への取り付け向き等が記されている。従って、例えば、この配管サポート図が、図７及び図８に示すエリアＡにおける複数のサポート部材Ｓ１からＳ１０について示している場合、その取り付け位置は、予め建築設計図等で定められた基準点Ｈからの距離（Ｘ方向、Ｙ方向、Ｚ方向）に従って記されている。そして、この配管サポート図に基づいて取り付け作業を行うことによって、図８に示すように、サポート部材Ｓ１，Ｓ２は、壁面Ｗに埋め込まれた埋め金Ｍ１，Ｍ２に取り付けられるようになっている。そして、図８に示すように、このように取り付けられたサポート部材Ｓ１，Ｓ２にパイプ部材Ｐ１が、図示しない係止部材によって係止され取り付けられるようになっている。
【０００４】
また、一般に建築物の建設工事では、土木工事、建築工事、機械工事、電気工事等の多くの建設工程を含み、上述した配管工事は、その建設工程の後半の工程にあることが多い。特に、化学系プラントのように大型であって、かつ安全性が重視される建築物では、上述した各建設工程との整合をとり、より正確な配管工事を行う必要がある。
【０００５】
また、化学系プラントのように多くの建設工程を含む建設工事では、建設現場での作業を効率的に行うために、一元化された各建設工程間の情報を適宜入手する必要がある。このような一元化された情報を配信する情報配信システムが種々提案されている（例えば、特許文献１。）。
【０００６】
特許文献１の情報配信システムでは、リモート端末（工事会社に設置した端末、工事現場に設置した端末及びモバイル端末）から建設作業に関する作業予定、作業員の実績情報、建設現場への車両の入退場や揚重機使用に関する情報等をインターネット経由で情報配信システムの受信部に向けて送信する。これら情報を受信部が受信すると、情報配信システムの格納部は、受信した情報を作業予定データベース、車両予定データベース、揚重予定データベースにそれぞれ更新し格納する。その後、受信部が他のリモート端末からの情報配信要求をインターネット経由で受信すると、配信部は同配信要求に基づいて各データベースから所定の情報をリモート端末へ配信する。これによって、工事現場の管理が容易にでき、さらに、建設現場にいる作業員も実際の作業場所や配置状況が把握可能となっている。
【特許文献１】特開２００２−３５８３４３号公報
【発明の開示】
【発明が解決しようとする課題】
【０００７】
しかしながら、特許文献１の情報配信システムでは、建設作業に関する作業予定や作業員の実績情報等の管理者を基準にした情報を配信し、実際に建設現場にて施工を行う作業
員を基準に情報を配信したものではなかった。
【０００８】
従って、作業員によって発見された建設現場と建築設計図面の不整合や、差異等の問題情報、さらに、この問題のある箇所を作業員によって、改造、変更、手直し等の処理が行われた場合には、その情報は管理者側には反映されにくい。さらにまた、建設現場から情報を発信する作業員は、その熟練度や個々の視点の違いなどから同一事例でも同質の情報発信を行うことは容易でなく、情報伝達の方法に大きな課題があった。
【０００９】
また、上述した配管工事を行う際に、その前半の工程（例えば、建築工事）で、部材の製作誤差、部材の取り付け誤差、建築設計図の改訂がある場合、予め準備した配管サポート図に従って配管を行うと、正確に施工できず不整合の原因となっていた。さらに、前半の工程で、建築物に対して既に取り付いている機器がある場合、この機器と配管に干渉が生じ、配管を適確に行えないことがあった。このような配管工事を行う場合には、上述したサポート部材の取り付け位置を、不整合又は干渉に対応するように建築設計図面に基づいて建設現場にて算出し整合して取り付けることが多い。しかし、この建設現場のいる作業員は、必ずしも計算に長けている訳ではなく、計算ミスを起こす可能性もあって正確性に欠けていた。加えて、この整合をとるための計算を行うことによって、時間をとられて配管工事に日数を要する原因となっていた。
【００１０】
一方、サポート部材の取り付け、又は配管工事が終了した建築物を検査員が検査を行う場合、検査員は建設現場を歩き回って、さらに事務所等で取り付け記録を調べ直して再度現場にて確認している。このため、建設現場と事務所とを往復することが多く、さらに、検査後に建築設計図面の改訂に伴って、新たにサポート部材等が追加されて取り付けられた場合には、一度検査したものとを判別し検査するので、手間がかかり時間を要していた。
【００１１】
本発明は、上記した問題点を解消するためのものであって、その目的は、建設現場にて、状況に応じた情報を作業員及び管理者に配信し、施工の効率を向上することができる施工支援方法及び施工支援プログラムを提供することにある。
【課題を解決するための手段】
【００１２】
上記の課題を解決するために、請求項１に記載の発明は、施工の対象となる部材の取り付け位置の情報を予め記憶する第１の記憶手段と、前記第１の記憶手段を管理する管理コンピュータとを含む施工システムを用いる施工支援方法であって、前記管理コンピュータが、ユーザの端末機から、同ユーザが前記部材の取り付け作業を行う作業位置の情報を入手する第１の段階と、前記取り付け位置を、前記作業位置に基づいて、算出し直してユーザの端末機に出力する第２の段階とを含むことを要旨とする。
【００１３】
請求項２に記載の発明は、請求項１に記載の施工支援方法において、前記取り付け位置の情報には、さらに、前記部材の取り付け向きの情報が含まれ、前記管理コンピュータは、前記第２の段階として、前記取り付け位置に加えて前記取り付け向きを、ユーザの端末機に出力することを要旨とする。
【００１４】
請求項３に記載の発明は、請求項１又は２のいずれか１つに記載の施工支援方法において、前記端末機は、少なくとも１つの表示部を有する携帯電話であって、前記管理コンピュータは、前記取り付け位置を、前記表示部に出力し表示させることを要旨とする。
【００１５】
上記の課題を解決するために、請求項４に記載の発明は、施工の対象となる部材の取り付け位置の情報を予め記憶する第１の記憶手段と、前記第１の記憶手段を管理する管理コンピュータとを含む施工システムに用いる施工支援プログラムであって、前記施工支援プ
ログラムは、前記管理コンピュータを、ユーザの端末機から、同ユーザが前記部材の取り付け作業を行う作業位置の情報を入手する第１の手段と、前記取り付け位置を、前記作業位置に基づいて、算出し直してユーザの端末機に出力する第２の手段として機能させることを要旨とする。
【００１６】
請求項５に記載の発明は、請求項４に記載の施工支援プログラムにおいて、前記取り付け位置の情報には、さらに、前記部材の取り付け向きの情報が含まれ、前記管理コンピュータは、前記第２の手段として、前記取り付け位置に加えて前記取り付け向きを、ユーザの端末機に出力することを要旨とする。
【００１７】
請求項６に記載の発明は、請求項４又は５のいずれか１つに記載の施工支援プログラムにおいて、前記端末機は、少なくとも１つの表示部を有する携帯電話であって、前記管理コンピュータによって、前記取り付け位置を、前記表示部に出力し表示させることを要旨とする。
（作用）
請求項１又は４によれば、管理コンピュータが、ユーザの端末機から、同ユーザが前記部材の取り付け作業を行う作業位置の情報を入手すると、この作業位置に基づいて、取り付け位置を、算出し直してユーザの端末機に出力する。従って、作業位置がユーザの作業のし易い作業位置である場合、管理コンピュータは、この作業位置に基づいた部材の取り付け位置をユーザの端末機に出力する。これによって、ユーザは作業を行いやすい作業位置にて部材の取り付けを行うことができるので、効率的かつ安全に施工を行うことができる。
【００１８】
請求項２又は５によれば、取り付け位置の情報には、さらに、部材の取り付け向きの情報が含まれている。そして、管理コンピュータは、取り付け位置に加えて取り付け向きを、ユーザの端末機に出力する。従って、ユーザは、この取り付け位置の情報を、端末機を介して入手することによって、例えば、施工現場の壁面に対して部材をどのくらいの傾斜で取り付けるのかを認知することができる。この結果、ユーザは、容易に部材を取り付けることができるので、施工を効率的に行うことができる。
【００１９】
請求項３又は６によれば、端末機は、少なくとも１つの表示部を有する携帯電話であって、管理コンピュータは、取り付け位置を、この表示部に出力し表示させる。従って、取り付け位置の情報を入手する端末機として、携帯電話を使用することができるので、初期費用（設備費）を低減することができる。
【発明の効果】
【００２０】
以上詳述したように、本発明によれば、施工の効率を向上させることができる。
【発明を実施するための最良の形態】
【００２１】
（第１実施形態）
以下、本発明を配管施工システムに具体化した第１実施形態を図１〜図８に従って説明する。
【００２２】
図１に示すように、施工システムとしての配管施工システム１は、ネットワーク２を介して、施工会社３に設置した端末機４、スタッフ５が持ち運んでいる移動型端末機６、製作工場７に設置した端末機８、施主９に設置した端末機１０にそれぞれ接続可能となるように構成されている。
【００２３】
本実施形態の配管施工システム１は、ガス管、水道管等の配管工事の際に、そのサポート部材の施工を支援するシステムである。また、配管施工システム１は、予め登録したデ
ータ（サポート部材の取り付け位置、形状等）を後述する各種記憶部に記憶している。そして、配管施工システム１は、これらデータを各ユーザの要求に応じて、図１に示すように、ネットワーク２を介して出力することによって、サポート部材の施工に必要な情報を各ユーザに提供し、その施工を支援するようになっている。
【００２４】
施工会社３は、配管工事の施工を請け負った会社であって、各施工現場の施工エリア毎に対応するように複数いる。各施工会社３は、それぞれが所持している端末機４を操作することによって、ネットワーク２を介して、配管施工システム１に接続するようになっている。そして、配管施工システム１とデータの送受信を行うことによって、各施工会社３は、それぞれ施工を請け負った施工エリアの作業状況や、その作業を行っている後述するスタッフ５の管理を行うようになっている。
【００２５】
スタッフ５は、各施工会社３から各施工現場に派遣され、それぞれ割り当てられた施工現場の各施工エリアにて、サポート部材及びパイプ部材の取り付け作業を行うスタッフである。このスタッフ５は、各施工エリアに対応するように複数いて、上述したように各施工会社３によって、それぞれ管理されるようになっている。そして、スタッフ５は、それぞれが所持している移動型端末機６を操作することによって、ネットワーク２を介して、配管施工システム１に接続するようになっている。そして、配管施工システム１とデータの送受信を行うことによって、各スタッフ５は、それぞれの施工エリアにおけるサポート部材の取り付け位置、形状等を確認しながら作業を行うことができるようになっている。
【００２６】
製作工場７は、各施工現場の配管工事に必要な部材（例えばサポート部材）を製作する工場であって、各施工現場に対応するように複数いる。この製作工場７は、それぞれが所持している端末機８を操作することによって、ネットワーク２を介して、配管施工システム１に接続するようになっている。そして、配管施工システム１とデータを送受信することによって、各製作工場７は、それぞれの施工現場の情報（サポート部材の長さが足りない等の不具合）を入手し、それぞれの状況に適応した部材を生産することができるようになっている。
【００２７】
施主９は、配管工事を依頼した施主であって、各施工現場に対応して複数いる。この施主９は、それぞれが所持している端末機１０を操作することによって、ネットワーク２を介して、配管施工システム１に接続するようになっている。そして、配管施工システム１とデータを送受信することによって、各施主９は、依頼した施工現場の作業状況を把握することができるようになっている。
【００２８】
この端末機４，８，１０及び移動型端末機６は、図示しないＣＰＵ、ＲＯＭ、ＲＡＭを備えている。さらに、端末機４，８，１０は、モデム等の通信手段を備えている。加えて、この端末機４，８，１０及び移動型端末機６は、図示しないディスプレイを有する表示部と、ディスプレイの表示に従って、各種情報の入力を行うための操作ボタン等の操作部を備えている。この端末機４，８，１０は、例えば、パーソナルコンピュータ等であって、又移動型端末機６は、例えば、携帯電話、ＰＤＡ等である。
【００２９】
配管施工システム１は、図１に示すように、管理コンピュータ１１を備えている。この管理コンピュータ１１は、図示しないＣＰＵ、ＲＯＭ、ＲＡＭを備え、さらにモデム等の通信手段等を備えている。この管理コンピュータ１１は、図示しない記憶部に、上述したデータを送受信し、施工（サポート部材の取り付け）を支援する施工支援プログラムを格納している。
【００３０】
さらに、配管施工システム１は、図１に示すように、施工情報記憶部１２及び画像情報記憶部１３を備えている。そして、上述した管理コンピュータ１１は、これら施工情報記
憶部１２及び画像情報記憶部１３に接続される。そして、管理コンピュータ１１は、上記した施工支援プログラムを実行することにより、これら施工情報記憶部１２及び画像情報記憶部１３を統括して管理する。そして、この管理コンピュータ１１は、ネットワーク２を介して、端末機４，８，１０、又は移動型端末機６からデータを受信すると、その受信内容に基づいて、各記憶部１２，１３の記録しているデータを更新、又は記録しているデータを抽出して端末機４，８，１０、移動型端末機６に送信するようになっている。このように、配管施工システム１を構成することによって、同配管施工システム１は、施工会社３、スタッフ５、製作工場７、施主９に、適宜、施工現場に関する情報を提供することができるようになっている。
【００３１】
施工情報記憶部１２では、図２に示すように、施工の対象となる施工現場毎に対応するように記憶領域が割り当てられ、この記憶領域には、施工現場情報１００が記憶される。そして、施工情報記憶部１２は、各施工現場情報１００に対応する施工現場の情報を記憶するようになっている。この施工現場情報１００には、予め管理会社等によって、図示しないが、上述した建築設計図面及び配管サポート図に基づいて、後述する各種情報が入力されている。画像情報記憶部１３には、予め建築設計事務所等によって、図示しないが上述した建築設計図面及び配管サポート図に基づいて作成された画像情報が入力し記憶されている。そして、この画像情報は施工現場情報１００に関連付けされている。
【００３２】
施工情報記憶部１２に記憶される施工現場情報１００は、施工現場名ａ１を含む。この施工現場名ａ１は施工を請け負った現場の現場名を示す情報であって、例えば、「○ビル」と記憶するようになっている。そして、この施工現場名ａ１に基づいて、管理コンピュータ１１は、各施工現場に対応する施工現場情報１００を区別し管理するようになっている。施工現場情報１００は、施主名ａ２、施工エリア名ａ３、施工会社名ａ４、エリア情報ａ５、スタッフ情報ａ６を含む。
【００３３】
この施主名ａ２は、上述した各施工現場における施主の名前を示す情報であって、各施工現場情報１００にそれぞれ対応するように記憶する。従って、例えば図２に示すように、「○ビル」の施主は「○会社」となっている。
【００３４】
この施工エリア名ａ３は、上述した各施工現場における施工の対象となる各施工エリアを示す情報であって、施工エリア毎に対応するように記憶する。従って、例えば「エリアＡ」、「エリアＢ」と記憶するようになっている。この施工エリア名ａ３は、上述した施工現場名ａ１と対応するようになっていて、例えば図２に示すように、「○ビル」にて施工を行うエリアは、「エリアＡ」、「エリアＢ」、「エリアＣ」…となっている。
【００３５】
この施工会社名ａ４は各施工エリアについて施工を請け負った会社の会社名を示す情報であって、例えば「×会社」、「△会社」と記憶するようになっている。この施工会社名ａ４は、上述した施工エリア名ａ３と対応するようになっていて、例えば図２に示すように、「エリアＡ」を施工するのは「×会社」、「エリアＢ」を施工するのは「△会社」となっている。
【００３６】
このエリア情報ａ５は、後述するように各施工エリアおける施工（サポート部材の取り付け作業等）に関する情報であって、例えば「エリアＡ情報」と記憶するようになっている。このエリア情報ａ５は、上述した施工エリア名ａ３と対応するようになっていて、例えば図２に示すように、「エリアＡ」における施工に関する情報は、「エリアＡ情報」となる。
【００３７】
このスタッフ情報ａ６は、各施工エリアにて作業を行うスタッフに関する情報であって、スタッフの名前、認証番号、パスワード等を記憶する。このスタッフ情報ａ６は、上述
した施工エリア名ａ３と対応するようになっていて、例えば図２に示すように、「エリアＡ」にて作業を行うスタッフの情報は、「スタッフ１」、「スタッフ２」…となっている。
【００３８】
次に、上述したエリア情報ａ５について、図３に従って説明する。図３に示すように、エリア情報ａ５は、サポート名ｂ１、取り付け位置ｂ２、形状ｂ３、製作情報ｂ４、作業位置ｂ５、施工記録ｂ６、検査記録ｂ７、改訂記録ｂ８を含んでいる。
【００３９】
このサポート名ｂ１は、施工エリアにて取り付けられるサポート部材毎のそれぞれの名称を示す情報であって、サポート部材毎に記憶するようになっている。このサポート名ｂ１は、上述した施工エリア名ａ３と対応するようになっていて、例えば図２及び図３に示すように、「エリアＡ」にて取り付けられるサポート部材として「サポートＳ１」、「サポートＳ２」、「サポートＳ３」…として記憶されるようになっている。なお、図２及び図３に示す「エリアＡ」は、説明の便宜上、上述した図７及び図８に示すエリアＡと対応するようになっている。
【００４０】
この取り付け位置ｂ２は、上述した基準点Ｈに基づいたサポート部材の取り付け位置（Ｘ方向、Ｙ方向、Ｚ方向）を示す情報であって、施工エリアにて取り付けられるサポート部材毎に対応して記憶するようになっている。従って、例えば、図３に示すようにサポート部材Ｓ１に対応するように、取り付け位置ｂ２は、「Ｘ方向…０、Ｙ方向…１０００、Ｚ方向…８００」（単位：ミリメートル、以下省略する）と記憶するようになっている。この場合、この取り付け位置ｂ２は、図８に示すようにサポート部材Ｓ１が、基準点ＨからＸ方向に０（壁面Ｗ）、Ｙ方向に１０００、Ｚ方向に８００に取り付けることを示している。
【００４１】
この形状ｂ３は、サポート部材の形状及び埋め金に取り付ける際の向き（傾斜）を示す情報であって、施工エリアにて取り付けられるサポート部材毎に対応して記憶するようになっている。従って、例えば図７及び図８に示すサポート部材Ｓ１は、壁面Ｗに対して、壁面Ｗの正面側から見て「０％」の傾斜で取り付けられると記憶するようになっている。そしてさらに、上述したように、画像情報記憶部１３には、この形状ｂ３に関連付けされた画像情報が記憶されている。従って、この画像情報記憶部１３には、例えば壁面Ｗにサポート部材Ｓ１を取り付けた際の、サポート部材Ｓ１の正面図が記憶されるようになっている。
【００４２】
この製作情報ｂ４は、各サポート部材の製作の製作日時及び製作者を示す情報であって、施工エリアにて取り付けられるサポート部材毎に対応して記憶するようになっている。従って、例えば、図３に示すようにサポート部材Ｓ１に対応するように、製作情報ｂ４は、「○月○日／青○」（製作日時／製作者名）と記憶するようになっている。
【００４３】
この作業位置ｂ５は、各サポート部材を取り付ける際に、その取り付けるサポート部材に対してスタッフ５がそれぞれ基準点Ｈからどの位置にて作業を行ったかを示す位置情報であって、施工エリアにて取り付けられるサポート部材毎に対応して記憶するようになっている。従って、例えば、作業位置ｂ５には、サポート部材Ｓ１の取り付けの際に、基準点Ｈから「Ｘ方向…０、Ｙ方向…８００、Ｚ方向…４００」の位置にて作業が行われたと記憶するようになっている。
【００４４】
この施工記録ｂ６は、施工の完了したサポート部材の施工記録（施工日、施工者、不具合、施工備考）を示す情報であって、サポート部材毎に対応して記憶するようになっている。従って、例えば、この施工記録ｂ６は、施工日「○月○日」、施工者「○田○朗」、不具合「なし」、施工備考「特になし」と記憶するようになっている。
【００４５】
この検査記録ｂ７は、施工の完了したサポート部材の検査記録（検査日、検査者、検査備考）を示す情報であって、サポート部材毎に対応して記憶するようになっている。従って、例えば、この検査記録ｂ７は、検査日「○月○日」、検査者「○田○朗」、検査備考「特になし」と記憶するようになっている。
【００４６】
この改訂記録ｂ８は、建築設計図面の改訂を示す情報であって、サポート部材毎に対応して記憶するようになっている。従って、建築設計図面に改訂が生じた場合、その状況に応じて例えば、「図面改訂中」と記憶するようになっている。
（情報提供）
次に、配管施工システム１がユーザに情報を提供する際の処理について図４〜図６に従って説明する。また、この配管施工システム１では、施工会社３、スタッフ５、製作工場７、施主９は既にユーザ登録をしているものとする。
【００４７】
まず、スタッフ５が、エリアＡにて作業を行う場合について説明する。スタッフ５の操作によって移動型端末機６が配管施工システム１に接続すると、これに応じて管理コンピュータ１１は、移動型端末機６の図示しない表示部に、図４に示すようなメニュー画面２０を表示させる。
【００４８】
このメニュー画面２０は、スタッフ５が作業を行う施工現場及びその施工現場における施工エリアの入力を要求する画面である。メニュー画面２０は、施工現場名を入力するための入力欄２０ａと施工エリア名を入力するための入力欄２０ｂ、これら入力欄２０ａ，２０ｂに入力された情報をデータとして、配管施工システム１の管理コンピュータ１１に送信するためのアイコン２０ｃ（ＯＫ）を含んでいる。
【００４９】
そして、移動型端末機６は、スタッフ５による図示しない操作ボタンの操作によって、このアイコン２０ｃが選択されると、入力欄２０ａ，２０ｂに入力された施工現場名及び施工エリア名のデータを管理コンピュータ１１に向けて送信する。
【００５０】
管理コンピュータ１１は、ネットワーク２を介して、施工現場名及び施工エリア名のデータを受信すると、図示しない記憶部に情報として一時記憶する。さらに、この施工現場名に基づいて、施工情報記憶部１２に記憶された複数の施工現場情報１００の施工現場名ａ１を照合し、該当する施工現場情報１００を特定する。そしてさらに、この該当する施工現場情報１００の施工エリア名ａ３と受信した施工エリア名を照合し特定する。
【００５１】
さらに、管理コンピュータ１１は、移動型端末機６の表示部にメニュー画面２１を表示させる。このメニュー画面２１は、図４に示すようにスタッフ５の認証番号及びパスワードの入力を要求する画面である。メニュー画面２１は、認証番号を入力するための入力欄２１ａと、パスワードを入力するための入力欄２１ｂと、これら入力欄２１ａ，２１ｂに入力された情報をデータとして管理コンピュータ１１に送信するためのアイコン２１ｃ（ＯＫ）、上述したメニュー画面２０を再び表示させるためのアイコン２１ｄ（戻る）を含んでいる。
【００５２】
そして、移動型端末機６は、このアイコン２１ｃが選択されると、入力欄２１ａ，２１ｂに入力された認証番号及びパスワードの情報をデータとして管理コンピュータ１１に向けて送信する。
【００５３】
管理コンピュータ１１は、ネットワーク２を介して、認証番号及びパスワードのデータを受信すると、図示しない記憶部に情報として一時記憶するともに、上述した施工エリアに対応するスタッフ情報ａ６の中から、該当するスタッフを照合し特定する。従って、例
えば、上述した入力欄２０ａに「○ビル」、入力欄２０ｂに「エリアＡ」と入力され、さらに、入力欄２１ａ，２１ｂに認証番号及びパスワードが入力されている場合、管理コンピュータ１１は、図２に示す「エリアＡ」に対応するスタッフ情報ａ６（スタッフ１、スタッフ２…）の中から該当するスタッフを特定する。
【００５４】
管理コンピュータ１１は、この施工エリアにて作業を行うスタッフであることを確認することができると、移動型端末機６の表示部にメニュー画面２２を表示させる。このメニュー画面２２は、図４に示すようにスタッフ５にサポート部材の施工又はその検査記録の選択を要求する画面である。メニュー画面２２は、アイコン２２ａ（サポート部材施工表）、アイコン２２ｂ（サポート部材検査記録）、メニュー画面２１を表示させるためのアイコン２２ｃ（戻る）を含んでいる。このアイコン２２ａが選択されると、移動型端末機６は、このデータを管理コンピュータ１１に向けて送信する。
【００５５】
管理コンピュータ１１は、ネットワーク２を介して、アイコン２２ａ（サポート部材施工表）が選択されたという情報を受信すると、上述した施工情報記憶部１２に記憶されている施工現場情報１００のエリア情報ａ５の中から対応するサポート部材の情報を抽出し、移動型端末機６の表示部にメニュー画面２３を表示させる。このメニュー画面２３は、施工エリアにて取り付けられるサポート部材をアイコン２３ａとして一覧で表示し、その表示したサポート部材の中からさらに選択を要求する画面である。従って、例えば、管理コンピュータ１１によって施工エリアが「エリアＡ」と特定されている場合、図４に示すように、メニュー画面２３には、「サポート部材Ｓ１、サポート部材Ｓ２…」とアイコン２３ａとして一覧で表示される。さらに、メニュー画面２３は、メニュー画面２２を表示させるためのアイコン２３ｂ（戻る）を含んでいる。
【００５６】
そして、このアイコン２３ａ（例えば、サポート部材Ｓ１）が選択されると、移動型端末機６は、このデータを管理コンピュータ１１に向けて送信する。管理コンピュータ１１は、ネットワーク２を介して、このデータを受信すると、図示しない記憶部に一時記憶するとともに、移動型端末機６の表示部にメニュー画面２４を表示させる。このメニュー画面２４は、スタッフ５がサポート部材Ｓ１取り付けるにあたって作業のし易い作業位置を、上述した基準点Ｈに基づいて「Ｘ方向、Ｙ方向、Ｚ方向」として入力を要求する画面である。メニュー画面２４は、スタッフ５が任意の作業位置（基準点Ｈからの位置）を入力するためのＸ方向の入力欄２４ａ、Ｙ方向の入力欄２４ｂ、Ｚ方向の入力欄２４ｃ、これら入力欄２４ａ〜２４ｃに入力された情報をデータとして管理コンピュータ１１に送信するためのアイコン２４ｄ（次へ）を含んでいる。さらに、メニュー画面２４は、メニュー画面２３を表示させるアイコン２４ｅ（戻る）を含んでいる。
【００５７】
そして、移動型端末機６は、このアイコン２４ｄが選択されると、入力欄２４ａ〜２４ｃに入力された作業位置の情報をデータとして管理コンピュータ１１に向けて送信する。
管理コンピュータ１１は、ネットワーク２を介して、このデータを受信すると、上述したエリア情報ａ５の作業位置ｂ５の情報を更新するとともに、対応するサポート部材の取り付け位置ｂ２と、更新した作業位置ｂ５に基づいて、取り付け位置を移動型端末機６の表示部にメニュー画面２５（又はメニュー画面２６）を表示させる。さらに形状ｂ３に記憶された情報と、画像情報記憶部１３に記憶された画像情報に基づいて、形状及び取り付け向きをメニュー画面２５（又はメニュー画面２６）に表示させる。このメニュー画面２５（又はメニュー画面２６）は、選択（特定）したサポート部材の壁面に対する取り付け位置及び取り付け向き（傾斜）を表示する画面である。
【００５８】
因みに、メニュー画面２４に示すように、入力欄２４ａ〜２４ｃに何も入力しないままアイコン２４ｄが選択されると、管理コンピュータ１１は、取り付け位置ｂ２及び形状ｂ３から情報を抽出する。そして、管理コンピュータ１１は、移動型端末機６の表示部に、
図４のメニュー画面２５に示すように、取り付け位置「Ｘ方向…０、Ｙ方向…１０００、Ｚ方向…８００」、「形状…０％」と表示させる。このとき、メニュー画面２５に表示されている画像は、上述したサポート部材Ｓ１を壁面Ｗの埋め金Ｍ１に取り付けた際の正面図を示している。このメニュー画面２５を見ることによって、エリアＡにて作業を行うスタッフ５は、サポート部材Ｓ１を基準点ＨからＸ方向に０、Ｙ方向に１０００、Ｚ方向に８００の位置に取り付けることを認知することができる。
【００５９】
一方、メニュー画面２４Ｚで示すように、入力欄２４ａ〜２４ｃに「Ｘ方向…０、Ｙ方向…８００、Ｚ方向…４００」と入力した後に、アイコン２４ｄが選択されると、管理コンピュータ１１は、取り付け位置ｂ２及び形状ｂ３から情報を抽出し、この入力されたデータに基づいて演算（減算）し移動型端末機６の表示部に、図４のメニュー画面２６に示すように、取り付け位置「Ｘ方向…０、Ｙ方向…２００、Ｚ方向…４００」、「形状…０％」と表示させる。このとき、メニュー画面２６に表示されている画像は、上述したサポート部材Ｓ１を壁面Ｗの埋め金Ｍ１に取り付けた際の正面図を示している。このメニュー画面２６を見ることによって、エリアＡにて作業を行うスタッフ５は、サポート部材Ｓ１を自分の今いる作業位置（基準点ＨからＸ方向に０、Ｙ方向に８００、Ｚ方向に４００の位置）からＸ方向に０、Ｙ方向に２００、Ｚ方向に４００の位置に取り付けることを認知することができる。このように構成することによって、スタッフ５は、任意の作業位置にて取り付け作業を行うことができるので、より作業性が良く、より安全な環境で施工を行うことができる。また、スタッフ５は、取り付け位置の計算を行う必要が無く、計算ミスによる施工の不整合を低減することができ、自身の練度や技量によらず正確な施工を行うことができる。また、大量の配管サポート図の中から、サポート部材（この場合、サポート部材Ｓ１）と対応する配管サポート図を探す手間がなく、さらに、大量の配管サポート図を施工現場で持ち運ばないですむので、スタッフ５は行動し易くなり効率的に施工を行うことができる。
【００６０】
また、このとき、建築設計図面に改訂に伴って、サポート部材の形状又は取り付け位置に変更が生じ、改訂記録ｂ８に「図面改訂中」と記憶されている場合には、管理コンピュータ１１は、メニュー画面２７に示すように「図面改訂中」と表示するようになっている。これによって、例えば、スタッフ５は、このメニュー画面２７を見ることによって、サポート部材Ｓ１の関わる建築設計図面が改訂中であることを知ることができる。従って、スタッフ５は、建築設計図面に整合した正確な施工を行うことができる。また、上述したメニュー画面２５〜２７には、メニュー画面２４を表示させるためのアイコン２５ｂ，２６ｂ，２７ａ（戻る）をそれぞれ含んでいる。さらに、メニュー画面２５，２６は、アイコン２５ａ，２６ａ（施工記録へ）を含んでいる。
【００６１】
次に、スタッフ５がサポート部材の施工記録を入力する場合について図５に従って説明する。例えば、スタッフ５がメニュー画面２６を見ながらサポート部材Ｓ１の取り付けを完了すると、スタッフ５は、メニュー画面２６のアイコン２６ａ（施工記録）を選択するようになっている。メニュー画面２６のアイコン２６ａ（施工記録）が選択されると、管理コンピュータ１１は、移動型端末機６の表示部に、図５に示すメニュー画面３０を表示させる。このメニュー画面３０は、施工記録の入力を要求する画面である。メニュー画面３０は、施工日を入力するための入力欄３０ａ、施工に関する不具合を入力するために入力欄３０ｂ、施工に関する備考を入力するための入力欄３０ｃ、これら入力欄３０ａ〜３０ｃに入力された情報をデータとして、管理コンピュータ１１に送信するアイコン３０ｄ（次へ）を含んでいる。さらに、メニュー画面３０は、メニュー画面２６を表示させるためのアイコン３０ｅ（戻る）を含んでいる。
【００６２】
そして、移動型端末機６は、このアイコン３０ｄが選択されると、入力欄３０ａ〜３０ｃに入力された作業位置における情報をデータとして管理コンピュータ１１に向けて送信
する。
【００６３】
管理コンピュータ１１は、ネットワーク２を介して、このデータを受信すると、上述した施工記録ｂ６の情報を更新するとともに、移動型端末機６の表示部にメニュー画面３１を表示させる。このメニュー画面３１は、メニュー画面３０にて入力された内容を確認できるものであって、施工日、施工者、不具合、施工備考を表示するようになっている。従って、メニュー画面３０の入力欄３０ａに「○月○日」、入力欄３０ｂに「なし」、入力欄３０ｃに「特になし。」と入力された場合、管理コンピュータ１１は、施工記録ｂ６にこれら入力された情報を記憶するとともに、メニュー画面３１に表示させる。また、このメニュー画面３１は、メニュー画面２３を表示させるためのアイコン３１ａ（施工表へ）、メニュー画面２２を表示させるためのアイコン３１ｂ（メニューへ）を含んでいる。従って、スタッフ５が連続してサポート部材の取り付け作業を行い、その施工記録を入力したい場合には、アイコン３１ａを選択することによって可能となっている。
【００６４】
次に、スタッフ５がサポート部材の検査記録を入力する場合について図６に従って説明する。例えば、スタッフ５は、取り付けを完了したサポート部材を検査するとき、図４に示すメニュー画面２２のアイコン２２ｂ（サポート部材検査記録）を選択するようになっている。メニュー画面２２のアイコン２２ｂが選択されると、管理コンピュータ１１は、移動型端末機６の表示部に、図６に示すメニュー画面４０を表示させる。このメニュー画面４０は、既に施工エリアにて取り付けられ、さらに上述した施工記録が入力されたサポート部材をアイコン４０ａとして一覧で表示し、さらに表示されたサポート部材の中からさらに選択を要求する画面である。さらに、このメニュー画面４０は、メニュー画面２２を表示させるためのアイコン４０ｂ（戻る）を含んでいる。そして、アイコン４０ａが選択されると、管理コンピュータ１１は、上述した取り付け位置ｂ２、形状ｂ３、作業位置ｂ５から情報を抽出してメニュー画面４１に表示させる。このメニュー画面４１を見ることによって、スタッフ５は、上述したサポート部材の取り付け位置、及びその作業位置を認知することができる。
【００６５】
従って、例えば、管理コンピュータ１１によって施工エリアが「エリアＡ」と特定され、この「エリアＡ」にて「サポート部材Ｓ１」「サポート部材Ｓ２」…と既に取り付けられ、さらに施工記録が入力されている場合、図６に示すように、メニュー画面４０には、「サポート部材Ｓ１」、「サポート部材Ｓ２」…とアイコン４０ａが一覧で表示される。そして、さらにアイコン４０ａ（サポート部材Ｓ１）が選択されると、図６に示すように、メニュー画面４１を表示させる。このメニュー画面４１には、上述した作業位置「Ｘ方向…０、Ｙ方向…８００、Ｚ方向…４００」、取り付け位置「Ｘ方向…０、Ｙ方向…２００、Ｚ方向…４００」及び形状「０％」（及び画像）が表示されている。従って、スタッフ５は、同メニュー画面４１と壁面Ｗに取り付けられたサポート部材Ｓ１を見て比較することによって、サポート部材Ｓ１の取り付け状態（取り付け位置があっているか等）を検査することができる。これによって、スタッフ５は施工の完了したサポート部材の取り付け位置等を容易に検査することができる。この結果、スタッフ５は、取り付け記録を保管してある事務所と施工現場を往復し確認する必要がなく、施工の完了したサポート部材を無駄なく効率的に検査を行うことができる。さらに、メニュー画面４１は、作業位置及びこの作業位置に基づいた取り付け位置を表示しているので、スタッフ５は、作業のし易い位置にて検査を行うことができる。この結果、検査の作業性を向上させることができる。
【００６６】
一方、上述したメニュー画面４１は、メニュー画面４２を表示させるためのアイコン４１ａ（次へ）、メニュー画面４０を表示させるためのアイコン４１ｂを含んでいる。そして、スタッフ５は、検査を行うとメニュー画面４１のアイコン４１ａを選択するようになっている。アイコン４１ａが選択されると、管理コンピュータ１１は、移動型端末機６の表示部に、図６に示すようにメニュー画面４２を表示させる。このメニュー画面４２は、
検査記録の入力を要求する画面である。メニュー画面４２は、検査日を入力するための入力欄４２ａ、施工に関する備考を入力するための入力欄４２ｂ、これら入力欄４２ａ，４２ｂに入力された情報をデータとして、管理コンピュータ１１に送信するアイコン４２ｃ（次へ）を含んでいる。さらに、メニュー画面４２は、メニュー画面４１を表示させるためのアイコン４２ｄ（戻る）を含んでいる。
【００６７】
そして、移動型端末機６は、このアイコン４２ｃが選択されると、入力欄４２ａ，４２ｂに入力された情報をデータとして管理コンピュータ１１に向けて送信する。
管理コンピュータ１１は、ネットワーク２を介して、このデータを受信すると、上述した検査記録ｂ７の情報を更新するとともに、移動型端末機６の表示部にメニュー画面４３を表示させる。このメニュー画面４３は、メニュー画面４２にて入力された内容を確認できるものであって、検査日、検査者、検査備考を表示するようになっている。従って、メニュー画面４２の入力欄４２ａに「○月○日」、入力欄４２ｂに「特になし。」と入力された場合、管理コンピュータ１１は、検査記録ｂ７にこれら入力された情報を記憶するとともに、メニュー画面４３に表示させる。また、メニュー画面４３は、メニュー画面４０を表示させるためのアイコン４３ａ（検査記録へ）と、メニュー画面２２を表示させるためのアイコン４３ｂ（メニューへ）を含んでいる。従って、スタッフ５が連続してサポート部材の検査を行い、その検査記録を入力したい場合には、アイコン４３ａを選択することによって可能となっている。
【００６８】
このように構成することによって、スタッフ５は、施工エリアにいながらサポート部材の施工に必要な情報を適宜入手し、作業を行うことができる。
また、このように構成することによって、施工現場における施工エリアの情報は、スタッフ５の移動型端末機６を介して、施工情報記憶部１２に記憶され随時更新される。この結果、各ユーザ（管理会社３、製作工場７、施主９）は、配管施工システム１に接続し、これら各種情報を受信することによって、施工現場及び施工エリアに関する情報を適宜入手できるようになっている。
【００６９】
以上のように構成された本実施形態によれば、以下の作用効果を奏する。
（１）本実施形態では、配管施工システム１を、端末機４，８，１０、移動型端末機６，とデータを送受信し、各ユーザ（施工会社３、スタッフ５、製作工場７、施主９）に配管施工に関する情報を提供できるように構成した。このように構成することによって、配管施工システム１は、一元化された情報を各ユーザに提供することができる。これによって、さらに複数のユーザ（例えば、関連会社、又は関連部門）がいる場合にも、同一かつ同質の情報を提供することができるため、各ユーザは配管工事における対策又は対応に要する時間を短縮することができる。また、一元化された情報を送受信することができるので、各ユーザ間による重複重層作業の低減や、中間コストの低減を実現することができる。さらに、一元化された情報を配管施工システム１によって、共有することで各種施工に関する書類等を作成することが容易である。
【００７０】
（２）本実施形態では、配管施工システム１の管理コンピュータ１１は、移動型端末機６の表示部に、スタッフ５の作業しやすい位置に対応して、サポート部材の取り付け位置を表示させた（メニュー画面２６）。これによって、スタッフ５は、施工現場にてサポート部材の取り付け位置について計算を行う必要が無く、作業し易い位置を認知することができる。これによって、計算ミスによる施工の不整合を低減することができ、スタッフ５自身の練度や技量によらず正確な施工を行うことができる。また、大量の配管設計図の中から、サポート部材又はパイプ部材と対応する配管サポート図又は配管設計図を探す手間がなく、さらに、これらを施工現場で持ち運ばないですむので、ユーザは行動し易くなり効率的に施工を行うことができる。
【００７１】
また、計測しやすい任意の位置に対応させ表示することによって、スタッフ５は、より作業性が良く、より安全な環境で施工を行うことができる。さらに、任意の位置を計測するのに、多くの人員を必要としない。この結果、人件費の低減、配管工事の品質及び精度の向上、作業環境の整備を実現することができる。また、配管施工システム１から取り付け位置ｂ２の情報を受信することにより、例えば、建築物がドーム状等の取り付けが複雑な場合でも正確に取り付けることができる。
【００７２】
（３）本実施形態では、配管施工システム１の管理コンピュータ１１は、施工の完了したサポート部材の情報を移動型端末機６の表示部に表示させた（メニュー画面４１）。これによって、スタッフ５は施工の完了したサポート部材を容易に検査することができる。この結果、スタッフ５は、施工の完了した現場及び取り付け記録を保管してある事務所等を往復し確認する必要がなく、無駄なく効率的に検査を行うことができる。
【００７３】
（４）本実施形態では、サポート部材の施工に関する情報を施工記録ｂ６に記憶した。従って、例えば、製作工場７は、端末機８を介してこの施工記録ｂ６に記憶された情報を入手することによって、施工現場の状況（サポート部材の取り付け品との干渉、サポート部材の長さが足りない等）に応じたサポート部材を効率的に製作することができる。この結果、サポート部材の製作にかかる日数を低減でき、さらに施工現場との不整合によるサポート部材の破棄を低減することができるので、施工コストを低減することができる。さらに、不適合なサポート部材を施工現場に運送する運送費等を低減することができる。また、施工現場の状況にあわせて製造することから、作業性の悪い現場にてサポート部材の長さ等の調整をする必要がないので、作業の効率を上げることができる。これによって、配管施工にかかる日数を減らすことができるので、配管工事の施工コストを低減することができる。
【００７４】
（５）本実施形態では、移動型端末機６を介して配管施工システム１に接続できるように構成した。従って、この移動型端末機６を携帯電話に具体化した場合、初期費用（設備費）を低減することができる。
【００７５】
なお、発明の実施の形態は、上記実施形態に限定されるものではなく、以下のように実施してもよい。
・上記実施形態の配管施工システム１では、サポート部材の施工（取り付け作業）を支援するように構成したが、この限りではなく、これに加えて、パイプ部材の施工を支援するように構成してもよい。この場合、サポート部材と同様に、移動型端末機６の表示部に、パイプ部材の取り付け位置、パイプ部材を固定するサポート部材等を表示するように適宜変更してもよい。またさらに、パイプ部材の作業位置、施工記録、検査記録、改訂記録等を記憶できるように施工情報記憶部１２を適宜変更してもよい。
【００７６】
・上記実施形態の管理コンピュータ１１では、建築設計図面に改訂があって、改訂記録ｂ８が更新された場合、移動型端末機６の表示部に「図面改訂中」と表示させた（メニュー画面２７）が、この限りではなく、これに加えてメール等を用いて各ユーザ（施工会社３、スタッフ５、製作工場７、施主９）に送信するようにしてもよい。これにより、各ユーザは、より早く図面の改訂を知ることができる。特に、スタッフ５は、建築設計図面に整合の取れた、より正確で高品質な施工を行うことができる。また、製作工場７は、端末機８を介してこの施工情報を、より早く入手することによって、施工現場の状況（サポート部材と取り付け品との干渉、サポート部材の長さが足りない等）に応じたサポート部材を効率的に製作することができる。この結果、サポート部材の製作にかかる日数を低減でき、さらに施工現場との不整合によるサポート部材の破棄を低減することができるので、施工コストを低減することができる。
【００７７】
・上記実施形態の施工情報記憶部１２では、上述したように施工に関する情報を記憶させたが、この限りではなく、加えて施工現場又は施工エリア毎に日報を記録できるように構成してもよい。これによって、各ユーザ（施工会社３、スタッフ５、製作工場７、施主９）は、施工情報記憶部１２に記憶された情報をデータとして受信し、端末機４，８，１０及び移動型端末機６に表示させることによって、施工現場毎又は施工エリア毎の日報を知ることができる。これによって、配管工事における不具合や事故が起こった場合に、原因究明の参考とすることができる。
【００７８】
・上記実施形態の施工情報記憶部１２では、上述したように施工に関する情報を記憶させたが、この限りではなく、加えて施工の出来高を記憶できるように構成してもよい。この出来高を移動型端末機６の表示部に表示させた場合、これを見ることによって、スタッフ５は、施工の進捗状況を知ることができるので、各種工程との連携を、よりとることができ、施工日数を低減することができる。また、さらに各ユーザ（施工会社３、製作工場７、施主９）の端末機４，８，１０に表示させた場合、各ユーザは、この施工現場及びエリア全体におけるサポート部材の施工及び検査、その全体の完了数、又は進捗率を確認することができる。この出来高を参考にすることによって、例えば施工会社３は、厳密な施工スケジュールを組むことができるので、配管工事にかかる施工日数を低減させ施工コストを低減することができる。またさらに、厳密な施工スケジュールを組むことによって高品質な配管工事を提供することができる。
【００７９】
・上記実施形態の管理コンピュータ１１では、施工情報記憶部１２に施工記録ｂ６を記憶させたが、この限りではなく、これに加え、この施工記録ｂ６に基づいて、各ユーザ（特に施工会社３、スタッフ５）に対して、未施工のサポート部材について警告メール等を配信する警告処理を行うようにしてもよい。また、このように構成することによって、施工の処理遅延を低減することができる。
【００８０】
・上記実施形態の画像情報記憶部１３では、上述したように施工に関する画像情報を記憶させたが、この限りではなく、例えばこれに加えて、撮像手段（デジタルカメラ、デジタルカメラ付き携帯電話等）で記録した撮像情報も蓄積してもよい。
【００８１】
・上記実施形態では、配管施工システム１は、端末機４，８，１０、移動型端末機６と情報を送受信したが、この限りではなく、これに加えて、配管工事に必要な各種ＮＣ機器と情報を送受信するように適宜変更してもよい。
【００８２】
・上記実施形態では、本発明を配管施工システム１に具体化したがこの限りではなく、ユーザの入力した施工エリアの情報（寸法）に対して、予め設定した情報を提供することができれば、何に具体化してもよい。従って、例えば、ユーザが水槽の寸法を移動型端末機から入力した場合、管理コンピュータによって水槽の容積、及びこの水槽を水で満たす際の所要時間又は、必要な水量を算出させるとともに、移動型端末機に出力させてユーザに情報を提供してもよい。
【図面の簡単な説明】
【００８３】
【図１】本発明の配管施工システムの概略を説明するためのブロック図。
【図２】施工施工情報記憶部に記憶された情報を説明するための説明図。
【図３】エリア情報に含まれる情報を説明するための説明図。
【図４】移動型端末機のメニュー画面を説明するための説明図。
【図５】移動型端末機のメニュー画面を説明するための説明図。
【図６】移動型端末機のメニュー画面を説明するための説明図。
【図７】従来のサポート部材を説明するための上面図。
【図８】従来のサポート部材を説明するための斜視図。
【符号の説明】
【００８４】
１…施工システムとしての配管施工システム、４，６，８，１０…端末機としての端末機及び移動型端末機、１１…第１及び第２の手段としての管理コンピュータ、１２…第１の記憶手段としての施工情報記憶部、ｂ２…取り付け位置、ｂ３…取り付け向きとしての形状、ｂ５…作業位置。
【図１】
2005083088.tif 000003
【図２】
2005083088.tif 000004
【図３】
2005083088.tif 000005
【図４】
2005083088.tif 000006
【図５】
2005083088.tif 000007
【図６】
2005083088.tif 000008
【図７】
2005083088.tif 000009
【図８】
2005083088.tif 000010